(57)【特許請求の範囲】
【請求項１】
便器本体と、該便器本体のリムからボール面を洗浄する水を流すリム水通路と、前記便器本体内に貯留している水を汚物と共に排出するジェット水用の水を流すジェット水通路と、前記便器本体の後部に設置され前記ジェット水用の水を貯留する高さの低いロータンクと、前記ロータンクと前記リム水通路に水道水を分配供給する分岐栓とを備えた水洗便器装置において、
前記水道水が前記分岐栓を経由して前記ロータンクに流入するよう前記分岐栓が配設され、かつ前記分配供給する際には前記ジェット水通路若しくは前記リム水通路のいずれか一方を閉塞し、前記ロータンクの上側に収納部を設けたことを特徴とする水洗便器装置。
【請求項２】
請求項１記載の水洗便器装置において、前記収納部は実質的に直方体状となって、天井部の一方側に設けた挿入部から、他方側の側壁下部の排出部に連通し、しかも収納したロールペーパが前記挿入部から前記排出部に転がり出ることが可能な側底面を有するロールペーパ収納部と、該ロールペーパ収納部の上側空間を利用して形成された補助収納部とを有し、前記ロールペーパ収納部及び前記補助収納部には共通又は個別の蓋体が設けられていることを特徴とする水洗便器装置。
【請求項３】
請求項１記載の水洗便器装置において、前記収納部は隙間を有して両側にそれぞれ設けられ、前記両側の収納部に被さるようにして手洗い部が設けられていることを特徴とする水洗便器装置。
【発明の詳細な説明】
【０００１】
【発明の属する技術分野】
本発明は、便器本体に水を流すためのロータンク上に、予備のロールペーパ等のトイレ用品を収納するための収納部を設けた水洗便器装置に関する。
【０００２】
【従来の技術】
図７に示すように、従来の水洗便器装置７０においては、便器本体７１の後部の上端面上に設けられたロータンク７２に貯留された水道水７３からなる洗浄水により、ボール面７４を洗浄すると共に、底部に溜まった汚物と水とに洗浄水をジェット状に噴出させて汚物と水とを排出管７５に流し込んで排出処理をしている。水道水７３は給水管７６を介してロータンク７２に貯留され、ロータンク７２の底部には手動レバー（図示せず）に連動した排水弁７７が設けられており、排水弁７７を開にすると、ロータンク７２内の洗浄水の一部は、便器本体７１の上端部に形成されたリング状のリム水通路７８及びリム水通路７８の底部に形成された多数の噴出孔を経由してボール面７４を上から下に沿って流れてボール面７４を洗浄することができると同時に、ロータンク７２内の洗浄水の残りの部分は、ジェット水通路７９及びジェット水通路７９の先端部に設けられたジェットノズル８０を経由してジェット水となり、ボール内底部に滞留していた水と汚物とを巻き込んで排出管７５に沿って押し出すことができるようになっている。
【０００３】
【発明が解決しようとする課題】
しかしながら、前述した従来の水洗便器装置７０においては、未だ解決すべき次のような問題がある。
ロータンク７２に貯留された水道水７３を、ボール面７４の洗浄と同時に、汚物と水との排出に使用しているので、水道水７３を貯留するロータンク７２の容量を大きく（８リットル以上に）する必要があり、このため、ロータンク７２の上方に、例えば、予備のロールペーパ等のトイレ用品を収納するためのスペースを確保することが困難である。
本発明は、このような事情に鑑みてなされたものであって、水を貯留するロータンクの容量を小さくして、予備のロールペーパ等のトイレ用品を見栄えよく収納でき、しかも取り出し易いコンパクトな収納部をロータンクの上方に備えた水洗便器装置を提供することを目的とする。
【０００４】
【課題を解決するための手段】
前記目的に沿う本発明に係る水洗便器装置は、便器本体と、便器本体のリムからボール面を洗浄する水を流すリム水通路と、便器本体内に貯留している水を汚物と共に排出するジェット水用の水を流すジェット水通路と、便器本体の後部に設置されジェット水用の水を貯留する高さの低いロータンクと、ロータンクとリム水通路に水道水を分配供給する分岐栓とを備えた水洗便器装置において、
水道水が分岐栓を経由してロータンクに流入するよう分岐栓が配設され、かつ分配供給する際にはジェット水通路若しくはリム水通路のいずれか一方を閉塞し、ロータンクの上側に収納部を設けている。これにより、ロータンクに貯留する水（水道水）はジェット水用に限定されるので、ロータンクは小さい容量とすることができ、この結果、ロータンクの上側の空間を利用して、平面的な便器本体の大きさを実質的に超えることがなく、狭いトイレ室内でも予備のロールペーパ等のトイレ用品を収納するための収納部を設けることができる。また、収納部は高さの低いロータンクの上にあるので、着座状態でトイレ用品を手に取ることができる。
【０００５】
ここで、本発明に係る水洗便器装置において、収納部は実質的に直方体状となって、前扉式の補助収納部と、補助収納部の側方にあるロールペーパ収納部とからなって、ロールペーパ収納部は、天井部に開口可能なロールペーパ投入口が設けられ、下部側壁には下開き可能な扉を有するロールペーパ取り出し部が設けられているのがよい。これにより、補助収納部とロールペーパ収納部を有するので、ロールペーパと他の各種トイレ用品を分けて収納することができる。また、ロールペーパ収納部は、上部から投入したロールペーパを容易に下部から取り出すことができる。
【０００６】
また、本発明に係る水洗便器装置において、収納部は実質的に直方体状となって、天井部の一方側に設けた挿入部から、他方側の側壁下部の排出部に連通し、しかも収納したロールペーパが挿入部から排出部に転がり出ることが可能な側底面を有するロールペーパ収納部と、ロールペーパ収納部の上側空間を利用して形成された補助収納部とを有し、ロールペーパ収納部及び補助収納部には共通又は個別の蓋体が設けられていてもよい。これにより、補助収納部とロールペーパ収納部を有するので、各種トイレ用品を収納することができる。また、ロールペーパ収納部は、投入口から取り出し口までの距離を長くすることができるので、比較的多くのロールペーパが収納できると共にロールペーパが転がり出るので、容易にロールペーパを取り出すことができる。
【０００７】
また、本発明に係る水洗便器装置において、収納部は前側が上下にスライドするシャッター扉を有していてもよい。これにより、着座する使用者への扉の開閉のためのスペース的な制約がなく、また、蓋体を取り外したりすることなく収納部を容易に開閉することができる。
【０００８】
また、本発明に係る水洗便器装置において、収納部の前面下方側にヒンジを備えた扉を有していてもよい。これにより、扉は、平面視して便器本体と同一平面内で移動することができる。
【０００９】
また、本発明に係る水洗便器装置において、収納部は隙間を有して両側にそれぞれ設けられ、両側の収納部に被さるようにして手洗い部が設けられていてもよい。これにより、収納部を有すると同時に、平面視して同一平面内に手洗い部も設けることができる。
【００１０】
ここで、両側の収納部の開閉扉は、収納部の前面側と側面側を覆う断面Ｌ字状となって、開閉扉のヒンジは背面側に設けられていてもよい。これにより、便器に着座する使用者に邪魔にならずに扉の開閉ができ、容易に収納部からトイレ用品を取り出すことができる。
【００１１】
【発明の実施の形態】
続いて、添付した図面を参照しつつ、本発明を具体化した実施の形態につき説明し、本発明の理解に供する。
ここに、図１は本発明の第１の実施の形態に係る水洗便器装置の側断面図、図２は同水洗便器装置の斜視図、図３は本発明の第２の実施の形態に係る水洗便器装置の斜視図、図４は本発明の第３の実施の形態に係る水洗便器装置の斜視図、図５は本発明の第４の実施の形態に係る水洗便器装置の斜視図、図６は本発明の第５の実施の形態に係る水洗便器装置の斜視図である。
【００１２】
図１、図２に示すように、本発明の第１の実施の形態に係る水洗便器装置１０は、便器本体１１の内側上部のリム１２からボール面１３を洗浄するための水（水道水）を流すリム水通路１４と、便器本体１１内に貯留している水を汚物と共に排出するために、ジェットノズル１５から噴出するジェット水用の水（水道水）を流すジェット水通路１６とを有しており、ジェット水通路１６は便器本体１１の後側に設けられ、水を貯留する高さの低いロータンク１７に排水弁２０を介して接続されている。
【００１３】
図１に示すように、ボール面１３を洗浄する水は、水道水１８が分岐栓１９を経由して、分岐栓１９に接続されたリム水通路１４を介して、ある程度の勢いを持った流水として取り込まれる。従って、この水道圧による動的エネルギーによって、ボール面１３を洗浄することができる。
一方、便器本体１１の底部に貯留している水と汚物とを共に排出する水は、ロータンク１７内に貯留された水道水１８が、ロータンク１７の底部に設けられた排水弁２０を経由してジェット水通路１６に取り込まれ、ヘッド差及びジェットノズル１５を利用してジェット水とされ、このジェット水により水と汚物とを排出管２１に強力に排出することができる。なお、水道水１８は分岐栓１９の開閉操作により給水管２２を経由して、ロータンク１７へ流入される。
【００１４】
次いで、水洗便器装置１０の使用方法及び操作方法について説明する。なお、水洗便器装置１０は、リム水通路１４とジェット水通路１６の給水操作（分岐栓１９及び排水弁２０の操作）や局部洗浄用のノズルユニットの給水操作等を行う操作部（図示せず）を備えている。
（１）予め（前回の使用時の終わり）、分岐栓１９を操作し、水道水１８を分岐栓１９及び給水管２２を経由して、ロータンク１７内に貯留しておく。
（２）洗浄の開始と同時に、分岐栓１９を操作してリム水通路１４側を開放し、排水弁２０は閉じた（ジェット水通路１６側を閉塞した）状態のまま、水道水１８を分岐栓１９及びリム水通路１４を介してリム１２内に給水し、リム１２内の所定の位置に設けられている孔から放水してボール面１３を洗浄する。
【００１５】
（３）一定時間経過後、分岐栓１９を操作し、リム水通路１４側を閉塞してリム１２内への給水を停止し、排水弁２０を操作してジェット水通路１６側を開放することにより、ロータンク１７内に貯留している水道水１８をジェットノズル１５に給水する。ジェットノズル１５から噴出されたジェット水は、ボール内に滞留していた水と汚物を巻き込んで排出管２１に沿って押し出されることで、サイホン作用を発生させ、一気に水と汚物を下水管２３に排出することができる。なお、便器本体１１には、ボール面１３の前面下側にサブタンク（図示せず）を設けることもでき、これによってジェットノズル１５の吐水時にサブタンク内に滞留していた水を巻き込んで、瞬間流量を増幅させ、サイホン作用を起こしやすくすることができる。
【００１６】
（４）一定時間経過後、排水弁２０を操作し、ジェット水通路１６側を閉塞してジェット水の噴出を停止し、分岐栓１９を操作してリム水通路１４側を開放することにより、リム１２に給水を行い、ボール内に貯水する。
（５）一定時間経過後、分岐栓１９を操作してリム水通路１４側を閉塞させて初期位置に戻り、止水させる。
図１、図２に示すように、水洗便器装置１０においては、リム水通路１４とジェット水通路１６の給水操作や局部洗浄用のノズルユニットの給水操作等を行う図示しない操作部の上方に、洗浄水を貯留する高さの低いロータンク１７を備えている。更に、このロータンク１７の上側にトイレ用品の一例である予備のロールペーパ２４等を収納するための収納部２５を設けている。
【００１７】
収納部２５は、木製、樹脂製、金属製、琺瑯製、陶磁器製等の材料からなり、実質的に直方体状からなり、水平方向に前方から側方に向けて１８０度程度に開閉自在の前扉式の正面扉２６を備える補助収納部２７を有している。この補助収納部２７には、棚２８を設けている。なお、この棚２８は必要に応じて取り外しが可能である。また、補助収納部２７の側方には、予備のロールペーパ２４を収納するためのロールペーパ収納部２９を有している。このロールペーパ収納部２９は、前方部が閉塞され、天井部に開口可能となるロールペーパ投入口３０が設けられている。予備のロールペーパ２４は、収納部２５の上部全体を覆っている蓋体３１を取り外して、ロールペーパ投入口３０から横向き又は縦向き状態の好みに応じて投入することができる。
【００１８】
ロールペーパ収納部２９の下部側壁には、下開きが可能な扉の一例である側面扉３２を備えるロールペーパ取り出し部３３を有している。このロールペーパ取り出し部３３からは、容易にロールペーパ２４を順次下から取り出すことができるが、側面扉３２の開口角度が９０度を超えると、ロールペーパ２４を取り出すときに床に落とす可能性があるので、９０度以下であるのが好ましい。
なお、ロールペーパ収納部２９の前方側を開口とすることもでき、補助収納部２７の正面扉を補助収納部２７とロールペーパ収納部２９の両方を覆うように拡張するか、補助収納部２７とロールペーパ収納部２９のそれぞれに開閉できる正面扉を設けることができる。また、蓋体は、ロールペーパ収納部２９の天井部のロールペーパ投入口３０のみを覆うものであってもよい。
【００１９】
続いて、図３を参照しながら、本発明の第２の実施の形態に係る水洗便器装置１０ａについて説明するが、図１（Ａ）、（Ｂ）及び図２に示す第１の実施の形態の水洗便器装置１０と同一の構成要素については同一の番号を付してその詳しい説明を省略する（以下の実施の形態についても同じ）。
ロータンク１７の上側にトイレ用品を収納するため設けた収納部２５ａは、木製、樹脂製、金属製、琺瑯製、陶磁器製等の材料からなり、実質的に直方体状となって、天井部の一方側に設けられた挿入部３４から、他方側の側壁下部に設けられた排出部３５に連通し、ロールペーパ２４が挿入部３４から排出部３５に転がり出ることができる側底面３６を備えたロールペーパ収納部２９ａを有している。
【００２０】
また、収納部２５ａは、ロールペーパ収納部２９ａの上側空間を利用して形成され、天井部が開口した補助収納部２７ａを有している。排出部３５には、下開きが可能で９０度以下の開口角度を備えた側面扉３２を設けている。この排出部３５からは、ロールペーパ収納部２９ａに収納されたロールペーパ２４を順次下から容易に取り出すことができ、ロールペーパ収納部２９ａ及び補助収納部２７ａには、共通して１個の蓋体３１が設けられている。なお、ロールペーパ収納部２９ａを覆うものと、補助収納部２７ａを覆うものとそれぞれ個別の蓋体を設けてもよい。
【００２１】
図４に示すように、本発明の第３の実施の形態に係る水洗便器装置１０ｂは、ロータンク１７の上側にトイレ用品を収納するための収納部２５ｂが設けられている。収納部２５ｂは、木製、樹脂製、金属製等の材料からなり、収納部２５ｂの前側には、下部に取っ手３７を有し、垂直方向あるいは弧を描くようにして上下にスライド可能なシャッター扉３８を有している。収納部２５ｂの内部は、予備のロールペーパ２４を含むトイレ用品が収納できるように適宜棚等を用いて使用者が自由に設計できる空間部を備えている。なお、シャッター扉３８は、蛇腹状に収納できる形態のものでもよいし、１枚の扉からなり、扉全体を直線的に上げ下げスライドさせる形態のものでもよい。
【００２２】
図５に示すように、本発明の第４の実施の形態に係る水洗便器装置１０ｃは、ロータンク１７の上側にトイレ用品を収納するための収納部２５ｃ、２５ｄが設けられている。収納部２５ｃ、２５ｄは、木製、樹脂製、金属製、琺瑯製、陶磁器製等の材料からなり、隙間を有して両側に設けられている。そして、両側の収納部２５ｃ、２５ｄに被さるようにして樹脂製、琺瑯製、陶磁器製等の材料からなる手洗い部３９を有している。この手洗い部３９には、手洗い用の水を供給する水道口４０が備えられ、手洗い後の水は、収納部２５ｃ、２５ｄの間の隙間に配置された排水パイプ４１を介してロータンク１７内に供給される。
【００２３】
上記の水洗便器装置１０ｃにおいては、両側の収納部２５ｃ、２５ｄに設けられた開閉扉４２ａ、４２ｂがそれぞれ収納部２５ｃ、２５ｄの前面側と側面側を覆うことができるように、断面視してＬ字状であり、実質的に直角形状に形成されている。また、開閉扉４２ａ、４２ｂのヒンジは、収納部２５ｃ、２５ｄの背面側にそれぞれ設けられている。
図６に示すように、本発明の第５の実施の形態に係る水洗便器装置１０ｄにおいては、ロータンク１７の上側にトイレ用品を収納するための収納部２５ｅが設けられており、収納部２５ｅの前面下方側に一対のヒンジ４３が取付けられた正面扉４４を備えている。収納部２５ｅは実質的に直方体状となって、正面扉４４は矩形板状に形成されている。
【００２４】
【発明の効果】
請求項１〜３記載の水洗便器装置においては、ロータンクは小さい容量とすることができるので、ロータンクの上側の空間を利用して、予備のロールペーパ等のトイレ用品を収納するための収納部を設けることができると共に、収納部は高さの低いロータンクの上にあるので、着座状態でトイレ用品を手に取ることができる。
【００２５】
【００２６】
特に、請求項２記載の水洗便器装置においては、収納部は実質的に直方体状となって、天井部の一方側に設けた挿入部から、他方側の側壁下部の排出部に連通し、しかも収納したロールペーパが挿入部から排出部に転がり出ることが可能な側底面を有するロールペーパ収納部と、ロールペーパ収納部の上側空間を利用して形成された補助収納部とを有し、ロールペーパ収納部及び補助収納部には共通又は個別の蓋体が設けられているので、各種トイレ用品を収納することができる。また、ロールペーパ収納部は、投入口から取り出し口までの距離を長くすることができ、比較的多くのロールペーパを収納できると共にロールペーパが転がり出ることで、容易にロールペーパを取り出すことができる。
【００２７】
【００２８】
【００２９】
特に、請求項３記載の水洗便器装置においては、収納部は隙間を有して両側にそれぞれ設けられ、両側の収納部に被さるようにして手洗い部が設けられているので、収納部を有すると同時に、平面視して同一平面内に手洗い部も設けることができる。
【００３０】
【図面の簡単な説明】
【図１】本発明の第１の実施の形態に係る水洗便器装置の側断面図である。
【図２】同水洗便器装置の斜視図である。
【図３】本発明の第２の実施の形態に係る水洗便器装置の斜視図である。
【図４】本発明の第３の実施の形態に係る水洗便器装置の斜視図である。
【図５】本発明の第４の実施の形態に係る水洗便器装置の斜視図である。
【図６】本発明の第５の実施の形態に係る水洗便器装置の斜視図である。
【図７】従来例に係る水洗便器装置の側断面図である。
【符号の説明】
１０、１０ａ、１０ｂ、１０ｃ、１０ｄ：水洗便器装置、１１：便器本体、１２：リム、１３：ボール面、１４：リム水通路、１５：ジェットノズル、１６：ジェット水通路、１７：ロータンク、１８：水道水、１９：分岐栓、２０：排水弁、２１：排出管、２２：給水管、２３：下水管、２４：ロールペーパ、２５、２５ａ、２５ｂ、２５ｃ、２５ｄ、２５ｅ：収納部、２６：正面扉、２７、２７ａ：補助収納部、２８：棚、２９、２９ａ：ロールペーパ収納部、３０：ロールペーパ投入口、３１：蓋体、３２：側面扉、３３：ロールペーパ取り出し部、３４：挿入部、３５：排出部、３６：側底面、３７：取っ手、３８：シャッター扉、３９：手洗い部、４０：水道口、４１：排水パイプ、４２ａ、４２ｂ：開閉扉、４３：ヒンジ、４４：正面扉
【図１】
0004180274.tif 000002
【図２】
0004180274.tif 000003
【図３】
0004180274.tif 000004
【図４】
0004180274.tif 000005
【図５】
0004180274.tif 000006
【図６】
0004180274.tif 000007
【図７】
0004180274.tif 000008